(57)【特許請求の範囲】
【請求項１】
制御装置によってグループ分けされ、グループごとに所定の動作を行うように制御される照明器具であって、
照明器具ごとに割り当てられる個別識別子のうち、自己の個別識別子を予め記憶装置に記憶しており、
制御装置から個別識別子を宛先として送信される、グループ設定用及び仮設定用のいずれかであることが示された設定データであって、グループごとに割り当てられるグループ識別子を含む設定データを受信する設定データ受信部と、
前記設定データ受信部で受信された設定データの宛先が記憶装置に記憶された自己の個別識別子である場合、当該設定データがグループ設定用であれば、当該設定データに含まれるグループ識別子を自己のグループ識別子として記憶装置に格納し、当該設定データが仮設定用であれば、当該設定データに含まれるグループ識別子を仮のグループ識別子として記憶装置に格納するグループ設定部と、
制御装置からグループ識別子を宛先として送信される制御データを受信する制御データ受信部と、
前記制御データ受信部で受信された制御データの宛先が前記グループ設定部により記憶装置に格納された自己のグループ識別子である場合、及び、当該制御データの宛先が前記グループ設定部により記憶装置に格納された仮のグループ識別子である場合、当該制御データに基づいて所定の動作を行う動作実行部とを備え、
前記グループ設定部は、前記動作実行部で仮のグループ識別子を宛先とする制御データに基づく動作が行われた場合、仮のグループ識別子を記憶装置から削除することを特徴とする照明器具。
【請求項２】
前記動作実行部は、記憶装置に仮のグループ識別子が格納されている間は、前記制御データ受信部で受信された制御データの宛先が仮のグループ識別子である場合のみ、当該制御データに基づいて所定の動作を行うことを特徴とする請求項１に記載の照明器具。
【請求項３】
照明器具は、さらに、
照明器具に取り付けられる光源の点灯累積時間を記録する点灯累積時間記録部を備え、
前記動作実行部は、前記制御データ受信部で受信された制御データの宛先が前記グループ設定部により記憶装置に格納された仮のグループ識別子である場合、当該制御データに基づく動作として、前記点灯累積時間記録部により記録されている点灯累積時間をリセットすることを特徴とする請求項１又は２に記載の照明器具。
【請求項４】
照明器具は、さらに、
照明器具を構成する部品の使用積算時間を記録する使用積算時間記録部を備え、
前記動作実行部は、前記制御データ受信部で受信された制御データの宛先が前記グループ設定部により記憶装置に格納された仮のグループ識別子である場合、当該制御データに基づく動作として、前記使用積算時間記録部により記録されている部品の使用積算時間をリセットすることを特徴とする請求項１から３までのいずれかに記載の照明器具。
【請求項５】
複数の照明器具と、前記複数の照明器具をグループ分けし、グループごとに所定の動作を行うように制御する制御装置とを有する照明制御システムであって、
制御装置は、
照明器具ごとに割り当てられる個別識別子を記憶する個別識別子記憶部と、
照明器具ごとに、振り分け先のグループを選択する入力を受け付け、当該グループに割り当てられるグループ識別子を記憶するグループ識別子記憶部と、
照明器具ごとに、前記個別識別子記憶部に記憶された個別識別子を宛先とする、グループ設定用であることが示された設定データであって、前記グループ識別子記憶部に記憶されたグループ識別子を含む設定データを送信する第１設定データ送信部と、
グループごとに、前記グループ識別子記憶部に記憶されたグループ識別子を宛先とする制御データを送信する第１制御データ送信部と、
特定の照明器具に特定の動作を指示する入力を受け付け、仮設定用のグループ識別子を作成し、前記個別識別子記憶部に記憶された前記特定の照明器具の個別識別子を宛先とする、仮設定用であることが示された設定データであって、前記仮設定用のグループ識別子を含む設定データを送信する第２設定データ送信部と、
前記仮設定用のグループ識別子を宛先とする制御データであって、前記特定の動作を行うことを指示する制御データを送信する第２制御データ送信部とを備え、
各照明器具は、
前記複数の照明器具の個別識別子のうち、自己の個別識別子を予め記憶装置に記憶しており、
設定データを受信する設定データ受信部と、
前記設定データ受信部で受信された設定データの宛先が記憶装置に記憶された自己の個別識別子である場合、当該設定データがグループ設定用であれば、当該設定データに含まれるグループ識別子を自己のグループ識別子として記憶装置に格納し、当該設定データが仮設定用であれば、当該設定データに含まれるグループ識別子を仮のグループ識別子として記憶装置に格納するグループ設定部と、
制御データを受信する制御データ受信部と、
前記制御データ受信部で受信された制御データの宛先が前記グループ設定部により記憶装置に格納された自己のグループ識別子である場合、及び、当該制御データの宛先が前記グループ設定部により記憶装置に格納された仮のグループ識別子である場合、当該制御データに基づいて所定の動作を行う動作実行部とを備え、
前記グループ設定部は、前記動作実行部で仮のグループ識別子を宛先とする制御データに基づく動作が行われた場合、仮のグループ識別子を記憶装置から削除することを特徴とする照明制御システム。
【請求項６】
各照明器具は、さらに、
照明器具に取り付けられる光源の点灯累積時間を記録する点灯累積時間記録部を備え、
前記第２設定データ送信部は、光源を交換した照明器具に前記特定の動作として点灯累積時間のリセットを指示する入力を受け付け、
前記動作実行部は、前記制御データ受信部で受信された制御データの宛先が前記グループ設定部により記憶装置に格納された仮のグループ識別子である場合、当該制御データに基づく動作として、前記点灯累積時間記録部により記録されている点灯累積時間をリセットすることを特徴とする請求項５に記載の照明制御システム。
【請求項７】
各照明器具は、さらに、
照明器具を構成する部品の使用積算時間を記録する使用積算時間記録部を備え、
前記第２設定データ送信部は、部品を交換した照明器具に前記特定の動作として使用積算時間のリセットを指示する入力を受け付け、
前記動作実行部は、前記制御データ受信部で受信された制御データの宛先が前記グループ設定部により記憶装置に格納された仮のグループ識別子である場合、当該制御データに基づく動作として、前記使用積算時間記録部により記録されている部品の使用積算時間をリセットすることを特徴とする請求項５又は６に記載の照明制御システム。
【請求項８】
前記第２設定データ送信部は、前記特定の照明器具に前記特定の動作を指示する入力をワイヤレスリモコン又は中央監視装置から受け付けることを特徴とする請求項５から７までのいずれかに記載の照明制御システム。
【発明の詳細な説明】
【技術分野】
【０００１】
本発明は、照明器具及び照明制御システムに関するものである。
【背景技術】
【０００２】
従来の照明装置として、ランプの点灯累積時間を記憶し、点灯累積時間に応じて減少するランプの光束を補うようにランプの調光度を調整し、ランプ交換時には、遠隔操作によって累積点灯時間がリセットされるものがある（例えば、特許文献１参照）。
【特許文献１】特開２００４−５５４２４号公報
【発明の開示】
【発明が解決しようとする課題】
【０００３】
従来、複数の照明装置があるとき、一部の照明装置についてのみランプ交換を実施する場合、遠隔操作によってリセット操作を行うためには、照明装置を指定せずにリセットを指令する通信データを一斉送信し、全ての照明装置に対して一括でリセット操作を行う方法、及び、ランプ交換を実施した照明装置だけを個別に指定してリセットを指令する通信データを送信し、リセットが必要な照明装置に対して個別にリセット操作を行う方法のいずれかをとっていた。前者の一括リセットの場合は、通信データに宛先などの情報は必要ないが、リセットが不要な照明装置に対してもリセット操作を行ってしまうという課題があった。また、後者の個別リセットの場合は、事前に各照明装置に設定してある個別アドレスを含む通信データを、リセット操作の対象となる照明装置ごとに順次送信する必要があり、リセット操作に時間がかかるという課題があった。
【０００４】
本発明は、例えば、複数の照明器具があるとき、光源の点灯累積時間のリセットなど、所定の動作を一部の照明器具のみにさせたい場合、その動作を該当する照明器具のみに一斉にさせることを目的とする。
【課題を解決するための手段】
【０００５】
本発明の一の態様に係る照明器具は、
制御装置によってグループ分けされ、グループごとに所定の動作を行うように制御される照明器具であって、
照明器具ごとに割り当てられる個別識別子のうち、自己の個別識別子を予め記憶装置に記憶しており、
制御装置から個別識別子を宛先として送信される、グループ設定用及び仮設定用のいずれかであることが示された設定データであって、グループごとに割り当てられるグループ識別子を含む設定データを受信する設定データ受信部と、
前記設定データ受信部で受信された設定データの宛先が記憶装置に記憶された自己の個別識別子である場合、当該設定データがグループ設定用であれば、当該設定データに含まれるグループ識別子を自己のグループ識別子として記憶装置に格納し、当該設定データが仮設定用であれば、当該設定データに含まれるグループ識別子を仮のグループ識別子として記憶装置に格納するグループ設定部と、
制御装置からグループ識別子を宛先として送信される制御データを受信する制御データ受信部と、
前記制御データ受信部で受信された制御データの宛先が前記グループ設定部により記憶装置に格納された自己のグループ識別子である場合、及び、当該制御データの宛先が前記グループ設定部により記憶装置に格納された仮のグループ識別子である場合、当該制御データに基づいて所定の動作を行う動作実行部とを備え、
前記グループ設定部は、前記動作実行部で仮のグループ識別子を宛先とする制御データに基づく動作が行われた場合、仮のグループ識別子を記憶装置から削除することを特徴とする。
【発明の効果】
【０００６】
本発明の一の態様によれば、例えば、複数の照明器具があるとき、光源の点灯累積時間のリセットなど、所定の動作を一部の照明器具のみにさせたい場合、該当する照明器具に共通の仮のグループ識別子を設定した後、仮のグループ識別子を宛先とする制御データを一斉送信することで、その動作を該当する照明器具のみに一斉にさせることが可能となる。
【発明を実施するための最良の形態】
【０００７】
以下、本発明の実施の形態について、図を用いて説明する。
【０００８】
実施の形態１．
図１は、本実施の形態に係る照明制御システム１００の構成を示すブロック図である。
【０００９】
図１において、照明制御システム１００は、照明装置２００、無線／有線変換ゲートウェイ３００、コントローラ４００（制御装置）、ワイヤレスリモコン５００を備える。
【００１０】
照明装置２００は複数存在し、それぞれがランプ２０１（光源）、及び、ランプ２０１が取り付けられる照明器具２１０を具備する。ランプ２０１は、例えば蛍光灯、高圧放電灯、ＬＥＤなどである。照明器具２１０は、ランプ２０１の点灯累積時間を記憶し、時間の経過に応じて減少するランプ２０１の光束を補うように、ランプ２０１の調光率を上昇させる初期照度補正機能を備えている。照明器具２１０は無線／有線変換ゲートウェイ３００を介して、上位のコントローラ４００と通信を行う。照明器具２１０はコントローラ４００によってグループ分けされ、グループ単位でコントローラ４００からの指令を受ける。そして、照明器具２１０は、コントローラ４００からの指令に応じて、ランプ２０１の点灯／消灯又は調光など、所定の動作を行う。つまり、照明器具２１０は、コントローラ４００によってグループごとに所定の動作を行うように制御される。ランプ２０１の交換時など、特定の場合には、照明器具２１０はコントローラ４００から通常時とは別のグループに一時的に分けられ、そのグループを単位としてコントローラ４００からの指令を受ける。そして、照明器具２１０は、コントローラ４００からの指令に応じて、ランプ２０１の点灯累積時間のリセットなど、所定の動作を行う。つまり、照明器具２１０は、特定の場合には、コントローラ４００によって仮のグループごとに所定の動作を行うように制御される。
【００１１】
コントローラ４００によってグループ分けされる際に、照明器具２１０はコントローラ４００から、宛先として自己の個別アドレスを含む通信フレームを受信する。この通信フレームは、グループ設定用であることを示すデータを含むとともに、グループ設定用のデータとして、照明器具２１０に設定されるグループのグループ番号を含んでいる。個別アドレスは、照明器具２１０ごとに割り当てられる個別識別子であり、例えばＭＡＣ（Ｍｅｄｉａ・Ａｃｃｅｓｓ・Ｃｏｎｔｒｏｌ）アドレスである。グループ番号は、グループごとに割り当てられるグループ識別子であり、例えば整数で表される。照明器具２１０は、グループ設定用のデータであるグループ番号を自己のグループ番号として設定する。
【００１２】
コントローラ４００によって仮のグループに分けられる際に、照明器具２１０はコントローラ４００から、宛先として自己の個別アドレスを含む通信フレームを受信する。この通信フレームは、仮設定用であることを示すデータを含むとともに、仮設定用のデータとして、照明器具２１０に設定される仮のグループのグループ番号を含んでいる。照明器具２１０は、仮設定用のデータであるグループ番号を仮のグループ番号として設定する。
【００１３】
コントローラ４００によって制御される際に、照明器具２１０はコントローラ４００から、宛先として自己のグループ番号及び仮のグループ番号のいずれかを含む通信フレームを受信する。この通信フレームは、制御用であることを示すデータを含むとともに、制御用のデータとして、ランプ２０１の点灯、消灯、調光、あるいは、ランプ２０１の点灯累積時間のリセットなど、所定の動作の指令を含んでいる。照明器具２１０は、制御用のデータである指令に応じて、所定の動作を行う。照明器具２１０は、仮のグループ番号を設定している間は、宛先として仮のグループ番号を含む通信フレームのみを受信するようにしてもよい。つまり、宛先として自己のグループ番号を含む通信フレームは無視するようにしてもよい。
【００１４】
無線／有線変換ゲートウェイ３００は１つ又は２つ以上存在し、それぞれが少なくとも１つの照明器具２１０と有線シリアル通信線で接続されている。無線／有線変換ゲートウェイ３００は有線シリアル通信線を介して照明器具２１０と有線通信を行うとともに、コントローラ４００と無線通信を行う。無線／有線変換ゲートウェイ３００は無線通信と有線通信の変換機能を備えており、照明器具２１０とコントローラ４００との間の通信を中継する。無線／有線変換ゲートウェイ３００は、照明器具２１０以外にも、人感センサ、照度センサなどと有線通信を行ってもよい。
【００１５】
コントローラ４００は複数の照明器具２１０をグループ分けし、グループごとに所定の動作を行うように制御する。コントローラ４００はそれぞれの照明器具２１０の個別アドレス、グループ番号、制御状態などを管理している。コントローラ４００はワイヤレスリモコン５００から、例えば、照明器具２１０に対するランプ２０１の点灯／消灯及び調光率の指示、現在の調光状態のモニタ要求、点灯累積時間のリセット指示を受け付ける。コントローラ４００はワイヤレスリモコン５００から受け付けた指示や要求に従って、前述した通信フレームを作成し、作成した通信フレームを、無線／有線変換ゲートウェイ３００を介して照明器具２１０へ送信する。これにより、コントローラ４００は照明器具２１０に対してランプ２０１の点灯／消灯及び調光率指示を行ったり、ランプ２０１の調光状態をモニタしたり、ランプ２０１の点灯累積時間のリセットを指示したりする。コントローラ４００は、その結果などを応答としてワイヤレスリモコン５００へ返信する。コントローラ４００は、無線／有線変換ゲートウェイ３００、ワイヤレスリモコン５００以外にも、人感センサ、照度センサなど、他の機器と無線通信を行ってもよい。また、コントローラ４００は照明器具２１０と無線通信又は有線通信を直接行ってもよい。
【００１６】
ワイヤレスリモコン５００は使用者による操作を受け、無線通信によって、例えば、照明器具２１０に対するランプ２０１の点灯／消灯及び調光率の指示、現在の調光状態のモニタ要求、点灯累積時間のリセット指示をコントローラ４００へ送信する。そして、ワイヤレスリモコン５００は無線通信によって、コントローラ４００から応答を受信し、その応答に基づき、例えば、指示の結果やランプ２０１の調光状態のモニタ内容を画面に表示する。ワイヤレスリモコン５００に、前述したコントローラ４００と同様の機能を実装し、ワイヤレスリモコン５００が照明器具２１０と直接、又は、無線／有線変換ゲートウェイ３００を介して通信を行うようにしてもよい。
【００１７】
図２は、１つの照明装置２００でランプ２０１の交換を実施し、照明器具２１０に対して点灯累積時間をリセットさせる手順を示す図である。
【００１８】
前提として、ワイヤレスリモコン５００よりコントローラ４００が操作され、コントローラ４００によって、Ｌ１、Ｌ２、Ｌ３の３台の照明装置２００がグループＧ１に設定されているものとする。そして、Ｌ１、Ｌ２、Ｌ３のいずれも、ランプ２０１の点灯累積時間として１０００時間を記録しているものとする。
【００１９】
図２（ａ）において、Ｌ１のみのランプ２０１を交換する。このとき、Ｌ１、Ｌ２、Ｌ３のいずれもグループＧ１に設定されたままである。また、Ｌ１、Ｌ２、Ｌ３に記録されているランプ２０１の点灯累積時間は、いずれも１０００時間のままである。
【００２０】
図２（ｂ）において、ワイヤレスリモコン５００よりコントローラ４００が操作され、コントローラ４００によって、Ｌ１のみが個別リセット用のグループＧ９９に設定される。このとき、Ｌ２、Ｌ３はグループＧ１に設定されたままである。また、Ｌ１、Ｌ２、Ｌ３に記録されているランプ２０１の点灯累積時間は、いずれも１０００時間のままである。
【００２１】
図２（ｃ）において、ワイヤレスリモコン５００よりコントローラ４００が操作され、コントローラ４００から、グループＧ９９に対して点灯累積時間のリセットを指示するリセット指示が送信される。このリセット指示に応じて、グループＧ９９に設定されているＬ１のみがランプ２０１の点灯累積時間をリセットする。これにより、Ｌ１に記録されているランプ２０１の点灯累積時間は０時間となる。一方、Ｌ２、Ｌ３に記録されているランプ２０１の点灯累積時間は１０００時間のままである。
【００２２】
図２（ｄ）において、ランプ２０１の点灯累積時間のリセットを完了したＬ１は、自動的にグループＧ９９の設定を解除する。これにより、Ｌ１に設定されたグループはグループＧ９９からグループＧ１に戻る。
【００２３】
このように、本実施の形態では、コントローラ４００が複数の照明器具２１０を１つのグループとしてまとめ、グループ単位で点灯／消灯制御や調光制御などを行うが、ランプ２０１の点灯累積時間のリセットを指示するときもグループ番号を宛先とした同じフォーマットの通信フレームを用いる。これにより、照明器具２１０やコントローラ４００に搭載されるマイコンのプログラムが簡素化し、マイコンのメモリ容量やコストの削減に繋がる。
【００２４】
コントローラ４００がランプ２０１の点灯累積時間のリセットを指示するときは、そのための通信フレームを、ランプ２０１の交換を実施した照明器具２１０のみに送信することが望ましい。そのため、本実施の形態では、コントローラ４００が、ランプ２０１の交換を実施した照明器具２１０に対して個別にグループ番号を仮設定することにより、調光制御などで使用する通常のグループ番号を宛先とした通信フレームと同じフォーマットで、対象となる照明器具２１０のみに点灯累積時間のリセット指示を送信することが可能となる。点灯累積時間のリセット指示を受信した照明器具２１０は、自動的に、直前に仮設定された個別リセット用のグループ番号を削除し、通常制御で使用していたグループ番号に設定を戻すことができる。
【００２５】
ランプ２０１の交換は１つのグループに設定されている照明器具２１０の全てに対して同時に実施することは稀であり、通常は、ランプ２０１が寿命によって点灯不可になったものに対して個別に実施することが多い。本実施の形態によれば、個別リセット用のグループ番号を設け、ランプ２０１の点灯累積時間をリセットしたい照明器具２１０に個別リセット用のグループ番号を設定し、そのグループ番号に対してワイヤレスリモコン５００からリセットを指示することで、該当する照明器具２１０のみに対し、一斉に点灯累積時間のリセットを実行させることが可能となる。また、リセットを完了した照明器具２１０は、仮に設定された個別リセット用のグループ番号は自動的に削除し、その前に設定されていた通常のグループ番号に設定を戻して動作するため、ワイヤレスリモコン５００で特別に操作をする必要はない。
【００２６】
図３は、照明器具２１０の構成を示すブロック図である。
【００２７】
図３において、照明器具２１０は、点灯累積時間記録部２１１、照明制御部２１２、設定データ受信部２１３、グループ設定部２１４、制御データ受信部２１５、動作実行部２１６を備える。また、照明器具２１０は、処理装置２５１、記憶装置２５２などのハードウェアを備える。照明器具２１０は、自己の個別アドレスを予め記憶装置２５２に記憶している。照明器具２１０の各部は、例えばマイコン上に実装される。この場合、処理装置２５１はマイコンに搭載されるＣＰＵに、記憶装置２５２はマイコンに搭載されるＲＡＭなどの揮発性メモリ、及び、マイコンに搭載されるフラッシュメモリ、ＲＯＭなどの不揮発性メモリに相当する。
【００２８】
点灯累積時間記録部２１１は、照明器具２１０に取り付けられるランプ２０１の点灯累積時間を記憶装置２５２に記録する。照明制御部２１２は、時間の経過に応じて減少するランプ２０１の光束を補うように、点灯累積時間記録部２１１により記憶装置２５２に記録されているランプ２０１の点灯累積時間に合わせて、ランプ２０１の調光率を自律的に調節する。また、照明制御部２１２は、コントローラ４００からの指令に応じて、ランプ２０１の調光率を調節したり、ランプ２０１を点灯したり、消灯したりする。設定データ受信部２１３、グループ設定部２１４、制御データ受信部２１５、動作実行部２１６の動作については後述する。
【００２９】
図４は、コントローラ４００の構成を示すブロック図である。
【００３０】
図４において、コントローラ４００は、個別識別子記憶部４０１、グループ識別子記憶部４０２、第１設定データ送信部４０３、第１制御データ送信部４０４、第２設定データ送信部４０５、第２制御データ送信部４０６を備える。また、コントローラ４００は、処理装置４５１、記憶装置４５２などのハードウェアを備える。コントローラ４００の各部は、例えばマイコン上に実装される。この場合、処理装置４５１はマイコンに搭載されるＣＰＵに、記憶装置４５２はマイコンに搭載されるＲＡＭなどの揮発性メモリ、及び、マイコンに搭載されるフラッシュメモリ、ＲＯＭなどの不揮発性メモリに相当する。
【００３１】
個別識別子記憶部４０１、グループ識別子記憶部４０２、第１設定データ送信部４０３、第１制御データ送信部４０４、第２設定データ送信部４０５、第２制御データ送信部４０６の動作については後述する。
【００３２】
以下、照明制御システム１００の動作（本実施の形態に係る照明制御プログラムの処理手順、本実施の形態に係る照明制御方法に相当）について説明する。
【００３３】
図５は、コントローラ４００の動作の例を示すフローチャートである。
【００３４】
ステップＳ１０１において、コントローラ４００の個別識別子記憶部４０１は、無線／有線変換ゲートウェイ３００に接続された複数の照明器具２１０から、それぞれの記憶装置２５２に予め記憶されている個別アドレスを収集する。そして、個別識別子記憶部４０１は、収集した複数の照明器具２１０の個別アドレスを記憶装置４５２により記憶する。なお、個別識別子記憶部４０１は、無線／有線変換ゲートウェイ３００に接続された複数の照明器具２１０の個別アドレスを、事前に（例えば、手動設定により）記憶装置４５２により記憶していてもよい。
【００３５】
使用者がワイヤレスリモコン５００から照明器具２１０のグループ分けを行う場合、コントローラ４００では以下のステップＳ１０２、Ｓ１０３が実行される。
【００３６】
ステップＳ１０２において、コントローラ４００のグループ識別子記憶部４０２は、照明器具２１０ごとに、振り分け先のグループを選択する入力をワイヤレスリモコン５００から受け付ける。そして、グループ識別子記憶部４０２は、照明器具２１０ごとに（個別アドレスに対応付けて）、振り分け先のグループ番号を記憶装置４５２により記憶する。
【００３７】
ステップＳ１０３において、コントローラ４００の第１設定データ送信部４０３は、照明器具２１０ごとにグループ設定用の設定データを送信する。グループ設定用の設定データは、コントローラ４００が送信する通信フレームの一種である。ここで、通信フレームのフォーマットを図６に示す。図６において、通信フレームには、（１）信号種別、（２）宛先種別、（３）宛先番号、（４）機能コード、（５）データが含まれている。通信フレームが、ある照明器具２１０に送信されるグループ設定用の設定データである場合、（１）には、その通信フレームが設定・制御用であることを示す値が含まれる。また、（２）には、その通信フレームの宛先が個別アドレスであることを示す値が、（３）には、個別識別子記憶部４０１に記憶されている当該照明器具２１０の個別アドレスが含まれる。また、（４）には、その通信フレームがグループ設定用であることを示す値が、（５）には、グループ識別子記憶部４０２に記憶されている当該照明器具２１０の振り分け先のグループ番号が含まれる。
【００３８】
使用者がワイヤレスリモコン５００から照明器具２１０の調光率を指令する場合、コントローラ４００では以下のステップＳ１０４が実行される。
【００３９】
ステップＳ１０４において、コントローラ４００の第１制御データ送信部４０４は、任意のグループとランプ２０１の調光率を指定してランプ２０１の調光を指令する入力をワイヤレスリモコン５００から受け付ける。そして、第１制御データ送信部４０４は、指定されたグループ宛に制御データを送信する。制御データは、コントローラ４００が送信する通信フレームの一種である。この場合、図６に示した（１）には、その通信フレームが設定・制御用であることを示す値が含まれる。また、（２）には、その通信フレームの宛先がグループ番号であることを示す値が、（３）には、グループ識別子記憶部４０２に記憶されている、指定されたグループのグループ番号が含まれる。また、（４）には、その通信フレームがランプ２０１の調光を指令することを示す値が、（５）には、指定された調光率の値が含まれる。
【００４０】
使用者がワイヤレスリモコン５００から照明器具２１０の点灯累積時間のリセットを指示する場合、コントローラ４００では以下のステップＳ１０５、Ｓ１０６が実行される。
【００４１】
ステップＳ１０５において、コントローラ４００の第２設定データ送信部４０５は、ランプ２０１を交換した１つ又は２つ以上の照明器具２１０を指定してランプ２０１の点灯累積時間のリセットを指示する入力をワイヤレスリモコン５００から受け付ける。そして、第２設定データ送信部４０５は、仮設定用のグループ番号として、グループ識別子記憶部４０２に記憶されているグループ番号と重複しないように新たなグループ番号を処理装置４５１により作成する。続けて、第２設定データ送信部４０５は、指定された照明器具２１０ごとに仮設定用の設定データを送信する。仮設定用の設定データは、コントローラ４００が送信する通信フレームの一種である。通信フレームが、ある照明器具２１０に送信される仮設定用の設定データである場合、図６に示した（１）には、その通信フレームが設定・制御用であることを示す値が含まれる。また、（２）には、その通信フレームの宛先が個別アドレスであることを示す値が、（３）には、個別識別子記憶部４０１に記憶されている当該照明器具２１０の個別アドレスの値が含まれる。また、（４）には、その通信フレームが仮設定用であることを示す値が、（５）には、新たに作成された仮設定用のグループ番号が含まれる。なお、ステップＳ１０５では、コントローラ４００の第２設定データ送信部４０５が、ランプ２０１を交換した照明器具２１０を指定する入力のみをワイヤレスリモコン５００から受け付けるようにしてもよい。この場合、後述するステップＳ１０６で、コントローラ４００の第２制御データ送信部４０６が、ランプ２０１の点灯累積時間のリセットを指示する入力をワイヤレスリモコン５００から受け付ける。
【００４２】
ステップＳ１０６において、コントローラ４００の第２制御データ送信部４０６は、第２設定データ送信部４０５により作成された仮設定用のグループ番号を宛先とする制御データを送信する。前述したように、制御データは、コントローラ４００が送信する通信フレームの一種である。この場合、図６に示した（１）には、その通信フレームが設定・制御用であることを示す値が含まれる。また、（２）には、その通信フレームの宛先がグループ番号であることを示す値が、（３）には、ステップＳ１０５で送信された仮設定用のグループ番号が含まれる。また、（４）には、その通信フレームがランプ２０１の点灯累積時間のリセットを指示することを示す値が含まれる。
【００４３】
図７は、照明器具２１０の動作の例を示すフローチャートである。
【００４４】
ステップＳ２０１において、照明器具２１０の設定データ受信部２１３は、コントローラ４００から送信された設定データを受信する。照明器具２１０のグループ設定部２１４は、設定データ受信部２１３で受信された設定データの宛先が記憶装置２５２に記憶された自己の個別アドレスであるかどうかを処理装置２５１により判定する。自己の個別アドレスでなければ、グループ設定部２１４は、その設定データを無視する。自己の個別アドレスであれば、グループ設定部２１４は、設定データ受信部２１３で受信された設定データがグループ設定用及び仮設定用のどちらかを処理装置２５１により判定する。グループ設定用であれば、ステップＳ２０２に進む。仮設定用であれば、ステップＳ２０３に進む。
【００４５】
ステップＳ２０２において、照明器具２１０のグループ設定部２１４は、設定データ受信部２１３で受信された設定データに含まれるグループ番号を自己のグループ番号として記憶装置２５２に格納する。
【００４６】
ステップＳ２０３において、照明器具２１０のグループ設定部２１４は、設定データ受信部２１３で受信された設定データに含まれるグループ番号を仮のグループ番号として記憶装置２５２に格納する。
【００４７】
ステップＳ２０４において、照明器具２１０の制御データ受信部２１５は、コントローラ４００から送信された制御データを受信する。照明器具２１０の動作実行部２１６は、制御データ受信部２１５で受信された制御データの宛先がグループ設定部２１４により記憶装置２５２に格納された自己のグループ番号及び仮のグループ番号、及び、他のグループ番号のどれかを処理装置２５１により判定する。自己のグループ番号でも仮のグループ番号でもなければ、動作実行部２１６は、その制御データを無視する。自己のグループ番号であれば、ステップＳ２０５に進む。仮のグループ番号であれば、ステップＳ２０６に進む。
【００４８】
ステップＳ２０５において、照明器具２１０の動作実行部２１６は、制御データ受信部２１５で受信された制御データに基づいて、ランプ２０１の調光率を指定された調光率に調光する。なお、動作実行部２０６は、記憶装置２５２に仮のグループ識別子が格納されている間は、制御データ受信部２０５で受信された制御データの宛先が自己のグループ番号である場合、その制御データを無視してもよい。つまり、動作実行部２０６は、記憶装置２５２に仮のグループ識別子が格納されている間は、制御データ受信部２０５で受信された制御データの宛先が仮のグループ番号である場合のみ、当該制御データに基づいて所定の動作を行うようにしてもよい。
【００４９】
ステップＳ２０６において、照明器具２１０の動作実行部２１６は、制御データ受信部２１５で受信された制御データに基づいて、点灯累積時間記録部２１１により記憶装置２５２に記録されている点灯累積時間をリセットする。
【００５０】
ステップＳ２０７において、照明器具２１０のグループ設定部２１４は、仮のグループ番号を記憶装置２５２から削除する。
【００５１】
このように、本実施の形態では、グループ番号の設定以外の通信では個別アドレスを使用せず、グループ番号を通信フレームの宛先として用いるため、通信処理の効率化を図ることができる。また、本実施の形態では、ワイヤレスリモコン５００を用いて、任意の照明器具２１０に対して点灯累積時間をリセットさせる操作を容易に行うことができるため、利便性が高い。
【００５２】
実施の形態２．
本実施の形態について、主に実施の形態１との差異を説明する。
【００５３】
図８は、本実施の形態に係る照明器具２１０の構成を示すブロック図である。
【００５４】
図８において、照明器具２１０は、実施の形態１と同様に、点灯累積時間記録部２１１、照明制御部２１２、設定データ受信部２１３、グループ設定部２１４、制御データ受信部２１５、動作実行部２１６を備えるほか、使用積算時間記録部２１７を備える。
【００５５】
使用積算時間記録部２１７は、照明器具２１０に搭載されるインバータなど、照明器具２１０を構成する部品の使用積算時間を記憶装置２５２に記録する。使用積算時間とは、当該部品を照明器具２１０に搭載してから経過した時間の合計であってもよいし、当該部品を実際に使用した時間の累計であってもよい。
【００５６】
以下、照明制御システム１００の動作（本実施の形態に係る照明制御プログラムの処理手順、本実施の形態に係る照明制御方法に相当）につき、図５〜図７の例を用いて主に実施の形態１との差異を説明する。
【００５７】
図５に示したステップＳ１０５において、コントローラ４００の第２設定データ送信部４０５は、インバータなどの部品と当該部品を交換した１つ又は２つ以上の照明器具２１０を指定して当該部品の使用積算時間のリセットを指示する入力をワイヤレスリモコン５００から受け付ける。そして、第２設定データ送信部４０５は、仮設定用のグループ番号として、グループ識別子記憶部４０２に記憶されているグループ番号と重複しないように新たなグループ番号を処理装置４５１により作成する。続けて、第２設定データ送信部４０５は、指定された照明器具２１０ごとに仮設定用の設定データを送信する。仮設定用の設定データについては、実施の形態１と同様である。
【００５８】
図５に示したステップＳ１０６において、コントローラ４００の第２制御データ送信部４０６は、第２設定データ送信部４０５により作成された仮設定用のグループ番号を宛先とする制御データを送信する。実施の形態１と同様に、制御データは、コントローラ４００が送信する通信フレームの一種である。この場合、図６に示した（１）には、その通信フレームが設定・制御用であることを示す値が含まれる。また、（２）には、その通信フレームの宛先がグループ番号であることを示す値が、（３）には、仮設定用のグループ番号が含まれる。また、（４）には、その通信フレームが部品の使用積算時間のリセットを指示することを示す値が、（５）には、指定された部品を示す値（例えばインバータであることを示す値）が含まれる。
【００５９】
図７に示したステップＳ２０６において、照明器具２１０の動作実行部２１６は、制御データ受信部２１５で受信された制御データに基づいて、使用積算時間記録部２１７により記憶装置２５２に記録されている、指定された部品の使用積算時間をリセットする。
【００６０】
このように、本実施の形態では、ワイヤレスリモコン５００を用いて、任意の照明器具２１０に対して任意の部品の使用積算時間をリセットさせる操作を容易に行うことができるため、利便性が高い。
【００６１】
実施の形態３．
本実施の形態について、主に実施の形態１との差異を説明する。
【００６２】
図９は、本実施の形態に係る照明制御システム１００の構成を示すブロック図である。
【００６３】
図９において、照明制御システム１００は、実施の形態１と同様に、照明装置２００、無線／有線変換ゲートウェイ３００、コントローラ４００を備えるほか、ワイヤレスリモコン５００の代わりに中央監視装置６００を備える。
【００６４】
中央監視装置６００は複数のコントローラ４００を管理しており、有線通信によって、例えば、照明器具２１０に対するランプ２０１の点灯／消灯及び調光率の指示、現在の調光状態のモニタ要求、点灯累積時間のリセット指示をそれぞれのコントローラ４００へ送信する。そして、中央監視装置６００は有線通信によって、それぞれのコントローラ４００から応答を受信し、その応答に基づき、例えば、指示の結果やランプ２０１の調光状態のモニタ内容を画面に表示する。中央監視装置６００に、前述したコントローラ４００と同様の機能を実装し、中央監視装置６００が照明器具２１０と直接通信を行うようにしてもよい。
【００６５】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００６６】
【図１】実施の形態１に係る照明制御システムの構成を示すブロック図である。
【図２】実施の形態１に係る点灯累積時間のリセット方法を示す図である。
【図３】実施の形態１に係る照明器具の構成を示すブロック図である。
【図４】実施の形態１に係る制御装置の構成を示すブロック図である。
【図５】実施の形態１に係る制御装置の動作を示すフローチャートである。
【図６】実施の形態１に係る通信データのフォーマットを示す図である。
【図７】実施の形態１に係る照明器具の動作を示すフローチャートである。
【図８】実施の形態２に係る照明器具の構成を示すブロック図である。
【図９】実施の形態３に係る照明制御システムの構成を示すブロック図である。
【符号の説明】
【００６７】
１００  照明制御システム、２００  照明装置、２０１  ランプ、２１０  照明器具、２１１  点灯累積時間記録部、２１２  照明制御部、２１３  設定データ受信部、２１４  グループ設定部、２１５  制御データ受信部、２１６  動作実行部、２５１  処理装置、２５２  記憶装置、３００  無線／有線変換ゲートウェイ、４００  コントローラ、４０１  個別識別子記憶部、４０２  グループ識別子記憶部、４０３  第１設定データ送信部、４０４  第１制御データ送信部、４０５  第２設定データ送信部、４０６  第２制御データ送信部、４５１  処理装置、４５２  記憶装置、５００  ワイヤレスリモコン、６００  中央監視装置。
【図１】
0005174541.tif 000002
【図２】
0005174541.tif 000003
【図３】
0005174541.tif 000004
【図４】
0005174541.tif 000005
【図５】
0005174541.tif 000006
【図６】
0005174541.tif 000007
【図７】
0005174541.tif 000008
【図８】
0005174541.tif 000009
【図９】
0005174541.tif 000010